(57)【特許請求の範囲】
【請求項１】
双方のコネクタハウジングに近接・離間移動によって接触・非接触とされる端子をそれぞれ設け、前記一方のコネクタハウジングに移動自在にレバーを設け、このレバーと前記他方のコネクタハウジングとのいずれか一方にカム溝を、他方に該カム溝に係合されるカムピンをそれぞれ設け、
前記レバーを移動開始位置と嵌合完了位置とのそれぞれの位置に保持する仮係止手段を設け、
前記カムピンが前記カム溝に係合された状態で前記レバーは移動開始位置と回転完了位置との間を回転可能に、且つ回転完了位置と嵌合完了位置との間を移動可能に支持され、
前記端子間を導通・非導通状態に切替えるリレー回路と、
このリレー回路を構成し、前記他方のコネクタハウジングに配置された嵌合検知用端子と、前記レバーに配置された嵌合検知用端子とからなる嵌合検知スイッチとを備え、
前記レバーが移動開始位置より回転完了位置に移動すると、前記カムピンが前記カム溝にガイドされることによって前記一方のコネクタハウジングが前記他方のハウジングに近接移動して双方のコネクタハウジングの前記端子同士が接触し、前記レバーが回転完了位置では前記嵌合検知スイッチがオフ状態、嵌合完了位置では前記嵌合検知スイッチがオン状態であることを特徴とするレバー嵌合式電源回路遮断装置。
【請求項２】
請求項１記載のレバー嵌合式電源回路遮断装置であって、
前記仮係止手段は、前記レバーと前記一方のコネクタハウジングとのいずれか一方に設けられた第１係止孔及び第２係止孔と、他方に設けられた係止突起とからなり、前記レバーの移動開始位置で前記第１係止孔に前記係止突起が挿入され、前記レバーの嵌合完了位置で前記第２係止孔に前記係止突起が挿入されることで位置が保持されるようにしたことを特徴とするレバー嵌合式電源回路遮断装置。
【請求項３】
請求項２記載のレバー嵌合式電源回路遮断装置であって、
前記第１係止孔及び前記第２係止孔に係止される前記係止突起は同一のものであることを特徴とするレバー嵌合式電源回路遮断装置。
【請求項４】
請求項２記載のレバー嵌合式電源回路遮断装置であって、
前記係止突起は、前記第１係止孔及び第２係止孔より退出する方向に弾性撓み変形可能な可撓アーム部に設けられていることを特徴とするレバー嵌合式電源回路遮断装置。
【発明の詳細な説明】
【０００１】
【発明の属する技術分野】
本発明は、カム機構を利用してレバーを低操作力で操作することにより一方のコネクタハウジングを他方のコネクタハウジングに装着・取り外し可能なレバー嵌合式電源回路遮断装置に関する。
【０００２】
【従来の技術】
この種のレバー嵌合式電源回路遮断装置に適用可能なレバー嵌合式コネクタとして、図２０〜図２２に示す実開平４−２９１７９号公報に開示されたものがある。
【０００３】
図２０〜図２２に示すように、レバー嵌合式コネクタ１００は、双方のコネクタハウジング１０１，１０２に近接・離間移動によって接触・非接触とされる端子１０３，１０４がそれぞれ設けられている。一方のコネクタハウジング１０１には支持ピン１０５を中心に回転支持されたレバー１０６が設けられ、このレバー１０６には支持ピン１０５からの距離が開口部１０７ａより奥に向かうに従って徐々に短くなるカム溝１０７が設けられていると共に、支持ピン１０５の位置より十分に離間した箇所に係止孔１０８が形成されている。また、他方のコネクタハウジング１０２にはカムピン１０９が設けられていると共に、レバー１０６の回転軌跡上に係止突起１１０が設けられている。
【０００４】
上記レバー嵌合式コネクタ１００を導通状態とするには、レバー１０６を図２０に示す回転開始位置に位置合わせした一方のコネクタハウジング１０１に他方のコネクタハウジング１０２を図２０の矢印Ｄ方向に移動して双方のコネクタハウジング１０１，１０２を突き合わせる。そして、一方のコネクタハウジング１０１のレバー１０６のカム溝１０７に他方のコネクタハウジング１０２のカムピン１０９を挿入する。次に、図２０の矢印Ｅ方向のレバー１０６を回転すると、カム溝１０７内をカムピン１０９がガイドされつつ移動して双方のコネクタハウジング１０１，１０２が徐々に近接され、双方の端子１０３，１０４が接触される。
【０００５】
そして、図２１に示すように、レバー１０６を嵌合完了位置まで回転すると、レバー１０６の係止孔１０８及びエッジ部に他方のコネクタハウジング１０２の係止突起１１０が係止する。レバー１０６の係止孔１０８に係止される係止突起１１０は、図２２（ａ）〜（ｃ）に示すように、レバー１０６が係止突起１１０に突き当たると弾性たわみ変形して回転移動が許容され、レバー１０６が嵌合完了位置に位置すると、係止孔１０８と係止突起１１０との位置が一致してレバー１０６が弾性復帰変形して係止孔１０８に係止突起１１０が挿入されるものである。
【０００６】
このレバー嵌合式コネクタ１００では、カム機構を利用してレバー１０６を低操作力で操作することにより一方のコネクタハウジング１０１を他方のコネクタハウジング１０２に装着・取り外しできると共に、嵌合完了位置ではレバー１０６が係止孔１０８及び係止突起１１０によって位置保持されるため、車両等の振動によってレバー１０６が移動することによって生じる、例えば端子１０３，１０４間が接触不良になるという事故を防止できるものである。
【０００７】
【発明が解決しようとする課題】
しかしながら、前記従来のレバー嵌合式コネクタ１００では、レバー１０６の回転開始位置では回転自由であるため、一方のコネクタハウジング１０１を他方のコネクタハウジング１０２に嵌合する作業をする際に、レバー１０６が回転開始位置より位置ずれしないように慎重に取り扱わなければならず、作業性が悪いという問題がある。
【０００８】
そこで、本発明は、前記した課題を解決すべくなされたものであり、一方のコネクタハウジングを他方のコネクタハウジングに嵌合する作業をする際に、レバーが所望の位置に保持され作業性が良いレバー嵌合式電源回路遮断装置を提供することを目的とする。
【０００９】
【課題を解決するための手段】
請求項１の発明は、双方のコネクタハウジングに近接・離間移動によって接触・非接触とされる端子をそれぞれ設け、前記一方のコネクタハウジングに移動自在にレバーを設け、このレバーと前記他方のコネクタハウジングとのいずれか一方にカム溝を、他方に該カム溝に係合されるカムピンをそれぞれ設け、前記レバーを移動開始位置と嵌合完了位置とのそれぞれの位置に保持する仮係止手段を設け、前記カムピンが前記カム溝に係合された状態で前記レバーは移動開始位置と回転完了位置との間を回転可能に、且つ回転完了位置と嵌合完了位置との間を移動可能に支持され、前記端子間を導通・非導通状態に切替えるリレー回路と、このリレー回路を構成し、前記他方のコネクタハウジングに配置された嵌合検知用端子と、前記レバーに配置された嵌合検知用端子とからなる嵌合検知スイッチとを備え、前記レバーが移動開始位置より回転完了位置に移動すると、前記カムピンが前記カム溝にガイドされることによって前記一方のコネクタハウジングが前記他方のハウジングに近接移動して双方のコネクタハウジングの前記端子同士が接触し、前記レバーが回転完了位置では前記嵌合検知スイッチがオフ状態、嵌合完了位置では前記嵌合検知スイッチがオン状態であることを特徴とする。
【００１０】
このレバー嵌合式電源回路遮断装置では、レバーが仮係止手段によって嵌合完了位置のみならず移動開始位置でも保持される。
【００１１】
請求項２の発明は、請求項１記載のレバー嵌合式電源回路遮断装置であって、前記仮係止手段は、前記レバーと前記一方のコネクタハウジングとのいずれか一方に設けられた第１係止孔及び第２係止孔と、他方に設けられた係止突起とからなり、前記レバーの回転開始位置で前記第１係止孔に前記係止突起が挿入され、前記レバーの嵌合完了位置で前記第２係止孔に前記係止突起が挿入されることで位置が保持されるようにしたことを特徴とする。
【００１２】
このレバー嵌合式電源回路遮断装置では、請求項１の発明と同様の作用が得られる。
【００１３】
請求項３の発明は、請求項２記載のレバー嵌合式電源回路遮断装置であって、前記第１係止孔及び前記第２係止孔に係止される前記係止突起は同一のものであることを特徴とする。
【００１４】
このレバー嵌合式電源回路遮断装置では、請求項２の発明の作用に加え、係止突起を１箇所に設ければ良い。
【００１５】
請求項４の発明は、請求項２記載のレバー嵌合式電源回路遮断装置であって、前記係止突起は、前記第１係止孔及び第２係止孔より退出する方向に弾性撓み変形可能な可撓アーム部に設けられていることを特徴とする。
【００１６】
このレバー嵌合式電源回路遮断装置では、請求項２の発明の作用に加え、回転開始位置や嵌合完了位置に位置するレバーに移動力を作用させると、可撓アーム部が弾性撓み変形して係止突起が第１係止孔や第２係止孔より離脱する。また、係止突起が第１係止孔や第２係止孔に係合され、或いは、離脱される際の係止突起へのダメージが少ない。
【００１７】
【発明の実施の形態】
以下、本発明の一実施形態を図面に基づいて説明する。
【００１８】
図１〜図１９は本発明の一実施形態のレバー嵌合式電源回路遮断装置を示し、図１（ａ）は一方のコネクタハウジングの分解正面図、図１（ｂ）は一方のコネクタハウジングの分解側面図、図２はレバーの斜視図、図３（ａ）はレバーの側面図、図３（ｂ）は図３（ａ）のＡ−Ａ線に沿う断面図、図４はレバーを装着した一方のコネクタハウジングであって、レバーが回転開始位置に位置する状態を示す正面図、図５はレバーを装着した一方のコネクタハウジングであって、レバーが回転開始位置に位置する状態を示す背面図、図６（ａ）はレバーを装着した一方のコネクタハウジングの一部を切り欠いた平面図、図６（ｂ）はレバーを装着した一方のコネクタハウジングの底面図、図７は他方のコネクタハウジングの一部を切り欠いた正面図、図８（ａ）は他方のコネクタハウジングの平面図、図８（ｂ）は図８（ａ）のＢ−Ｂ線に沿う断面図である。
【００１９】
図１０〜図１２及び図１５〜図１９に示すように、レバー嵌合式電源回路遮断装置１Ａは、一方のコネクタハウジング１と、この一方のコネクタハウジング１に取り付けられたレバー２と、このレバー２の操作により一方のコネクタハウジング１が装着される他方のコネクタハウジング３とを備えている。
【００２０】
図１及び図４〜図６に示すように、一方のコネクタハウジング１は、ハウジング本体４とこのハウジング本体４の上方を塞ぐように装着されるカバー５とを有し、ハウジング本体４の三角錐の一対の突起（凸部）６，６にカバー５の係止孔７が挿入されることによってカバー５がハウジング本体４に装着されるようになっている。三角錐の各突起６は、下方側がハウジング本体４の面に対して垂直面になり、上方及び側方が共にハウジング本体４の面より徐々に立ち上がる傾斜面になるように設けられており、これによってカバー５は図１（ａ）にて実線で示すようにハウジング本体４の上方からと、図１（ａ）にて仮想線で示すようにハウジング本体４の側方からとの両方向から装着可能になっている。従って、狭いスペースにレバー嵌合式電源回路遮断装置１Ａが設置される場合においてカバー５の装着や取り外しを容易に行うことができるようになっている。
【００２１】
ハウジング本体４の下方には端子フード部８が設けられ、この端子フード部８内に図５及び図６（ｂ）に示す一対の雄端子（端子）９，９が下方に突出された状態で設けられている。この一対の雄端子９，９はハウジング本体４内に収容された図５及び図６（ｂ）に示すヒューズ１０を介して電気的に接続されている。
【００２２】
ハウジング本体４の外壁には一対のガイドピン１１，１１が突設されており、この各ガイドピン１１は円柱形状の上下端部をカットした略楕円形状を有している。つまり、長寸法幅の部分と短寸法幅の部分とが構成されている。そして、一対のガイドピン１１，１１には、レバー２の後述するガイド溝２０にそれぞれ係合されるようになっている。
【００２３】
また、ハウジング本体４の外壁には略半球状の一対の係止突起（凸部）１２，１２が突設されており、この各係止突起１２はハウジング本体４の外壁の一対のスリット１３，１３間で形成された可撓アーム部１４に設けられている。一対の係止突起１２，１２はレバー２の後述する第１係止孔２２及び第２係止孔２３が挿入されることによってレバー２を所定の位置に保持するものであり、可撓アーム部１４の弾性撓み変形によってハウジング本体４の内側方向に容易に変移するようになっている。さらに、ハウジング本体４の外壁には一対のレバー軌跡矯正用ガイド溝１５，１５が設けられており、この各レバー軌跡矯正用ガイド溝１５を形成する一方の段差側面１５ａは、上下方向に延びる垂直段差側面と水平方向に延びる水平段差側面とこれらの側面を円弧状に結ぶ円弧段差側面とから形成されている。そして、この一対のレバー軌跡矯正用ガイド溝１５，１５には他方のコネクタハウジング３の後述する一対のレバー軌跡矯正用ガイドピン２４，２４が係合され、一対のレバー軌跡矯正用ガイドピン２４，２４はレバー軌跡矯正用ガイド溝１５の段差側面１５ａに沿って摺動されるようになっている。
【００２４】
また、ハウジング本体４には一対のレバー回転ストッパー部１６，１６が突設されている。この一対のレバー回転ストッパー部１６，１６は、レバー２が一方のコネクタハウジング１に直立状態となる図１０の回転開始位置と、レバー２が一方のコネクタハウジング１に平行状態となる図１１の回転完了位置との間でのみ回転可能なようにレバー２の回転を規制している。
【００２５】
図２〜図６に示すように、レバー２は、間隔を置いて平行に配置された一対のアームプレート部１８ａ，１８ｂと、この一対のアームプレート部１８ａ，１８ｂを連結する操作部１９とを備えている。一対のアームプレート部１８ａ，１８ｂには水平方向に延びるガイド溝２０が対称位置に設けられており、この各ガイド溝２０に一方のコネクタハウジング１の一対のガイドピン１１，１１がそれぞれ挿入されている。各ガイド溝２０は、一端側の円弧状の円弧部２０ａと、これに連通される直線状のストレート部２０ｂとから構成されている。この円弧部２０ａの直径はガイドピン１１の円弧部分（長寸法幅の部分）の直径より若干だけ大きく、ストレート部２０ｂの幅はガイドピン１１のカットされた部分（短寸法幅の部分）の幅より若干だけ大きくそれぞれ設けられている。そして、レバー２は、図１１に示す回転完了位置以外の回転位置ではガイドピン１１がガイド溝２０の円弧部２０ａにのみ配置可能とされ、図１０の回転開始位置と図１１の回転完了位置との間の回転移動が許容され、図１１に示す回転完了位置（図１２に示す嵌合完了位置）の回転位置ではガイドピン１１がガイド溝２０の円弧部２０ａからストレート部２０ｂへのスライド移動が可能とされ、図１１の回転完了位置と図１２の嵌合完了位置との間のスライドによる直線移動が許容される。レバー２は、以上のように一方のコネクタハウジング１に対して回転移動、且つ、直線移動可能に設けられている。
【００２６】
また、一対のアームプレート部１８ａ，１８ｂには対称位置にカム溝２１が設けられており、この一対のカム溝２１は一方のコネクタハウジング１を他方のコネクタハウジング３に装着する際に他方のコネクタハウジング３の後述するカムピン３６を挿入する。この各カム溝２１は、一端側がアームプレート部１８ａ，１８ｂの端面に開口する開口部２１ａを有し、この開口部２１ａから奥に向かうに従ってガイド溝２０の円弧部２０ａからの距離ｒを徐々に近接する方向に可変する屈曲部２１ｂと、ガイド溝２０のストレート部２０ｂに平行に配置されたストレート部２１ｃとから構成されている。
【００２７】
さらに、図１０に示すように、レバー２が直立状態とされた場合に開口部２１ａの上方の側壁面は、レバー２を用いずに一方のコネクタハウジング１を他方のコネクタハウジング３に挿入してコネクタ仮嵌合位置とする際に、カムピン３６が当接されるカム溝２１の側壁ストッパ面１７として形成されている。つまり、それ以上のカムピン３６の挿入が阻止され、その以降はレバー２の操作によってのみ挿入されるようになっている。
【００２８】
また、一対のアームプレート部１８ａ，１８ｂには第１係止孔（凹部）２２及び第２係止孔（凹部）２３が対称位置にそれぞれ設けられており、この第１係止孔２２及び第２係止孔２３に一方のコネクタハウジング１の係止突起１２が挿入されている。レバー２が一方のコネクタハウジング１に直立状態となる回転開始位置（移動開始位置）では第１係止孔２２に係止突起１２が挿入されることによってレバー２が回転開始位置に位置保持される。さらに、レバー２が一方のコネクタハウジング１に平行状態となる嵌合完了位置では第２係止孔２３に係止突起１２が挿入されることによってレバー２が嵌合完了位置に位置保持される。つまり、第１係止孔２２及び第２係止孔２３と係止突起１２によってレバー２を回転開始位置（移動開始位置）と嵌合完了位置との位置にそれぞれ位置保持する仮係止手段が構成されている。尚、レバー２の回転完了位置は操作途中位置であるため、係止突起１２は係止されない。
【００２９】
さらに、一対のアームプレート部１８ａ，１８ｂの内壁にはレバー軌跡矯正用ガイドピン２４，２４がそれぞれ設けられており、この一対のレバー軌跡矯正用ガイドピン２４，２４は一方のコネクタハウジング１の一対のレバー軌跡矯正用ガイド溝１５，１５に係合されている。また、一対のアームプレート部１８ａ，１８ｂの一方は他方に比べて幅広に設けられ、この幅広のアームプレート部１８ｂには図３（ａ）及び図５に示すコネクタ部２５が設けられ、このコネクタ部２５には嵌合検知用端子としての嵌合検知用雄端子２６が設けられている。さらに、操作部１９には指挿入孔２７が設けられており、この指挿入孔２７は人間の指一本のみがようやく挿入できる程度の大きさに設定されている。
【００３０】
図７及び図８に示すように、他方のコネクタハウジング３は上面が解放された概略直方体形状を有し、その内部スペースが一方のコネクタハウジング１の装着スペース３０となっている。この装着スペース３０の下面となる底面部３１には図１８及び図１９に示すボルト挿入孔３２が形成され、このボルト挿入孔３２に挿入されたボルト３３によって他方のコネクタハウジング３が図示しない所望の取付面に固定されるようになっている。
【００３１】
また、装着スペース３０の下面となる底面部３１には端子フード収容部３４が上下方向に突出した状態で一体的に設けられており、この端子フード収容部３４内には図５及び図６（ｂ）に示す一対の雌端子（端子）３５，３５がそれぞれ収容されている。一方のコネクタハウジング１が他方のコネクタハウジング３の上方から下方に近接移動されると、一方のコネクタハウジング１の一対の雄端子９，９が端子フード収容部３４内に入り込んで一対の雌端子３５，３５に接触され、また、相互の端子９，３５間が接触状態にあって一方のコネクタハウジング１が下方から上方に離間移動されると、一対の雄端子９，９が端子フード収容部３４内から退出して一対の雌端子３５，３５と非接触とされる。各雌端子３５にはリード線３９ａの一端側が接続されており、リード線３９ａの一方は電源回路Ｄの負荷部４０側に、他方は電源回路Ｄの電源部４１側にそれぞれ導かれている。つまり、図９に示すように、双方のコネクタハウジング１，３の雄端子９と雌端子３５とによって電源回路ＤのパワースイッチＳＷ１が構成されている。
【００３２】
また、他方のコネクタハウジング３の内周壁の対称位置には一対のカムピン３６，３６が突設されており、この一対のカムピン３６，３６は、一方のコネクタハウジング１が装着される際にレバー２のカム溝２１に挿入されるようになっている。さらに、他方のコネクタハウジング３の装着スペース３０内にはコネクタ部３７が設けられており、このコネクタ部３７には嵌合検知用端子としての一対の嵌合検知用雌端子３８，３８が配置されている。この一対の嵌合検知用雌端子３８，３８とレバー２の一対の嵌合検知用雄端子２６，２６とによって嵌合検知スイッチＳＷ２が構成されている。この嵌合検知スイッチＳＷ２は一対の嵌合検知用雌端子３８，３８にレバー２の一対の嵌合検知用雌端子２６，２６が接触されることによってオンされ、レバー２の一対の嵌合検知用雌端子２６，２６が非接触の状態でオフされる。この一対の雌端子３８，３８にはリード線３９ｂがそれぞれ接続されており、この双方のリード線３９ｂは電源回路Ｄ内のリレー回路４２に導かれている。
【００３３】
次に、電源回路Ｄを説明する。図９に示すように、電源回路Ｄは、負荷部４０と、この負荷部４０に電源を供給する電源部４１とを有し、この負荷部４０と電源部４１には双方のコネクタハウジング１，３の端子９，３５によるパワースイッチＳＷ１とリレー回路４２とが直列に接続されている。リレー回路４２は嵌合検知スイッチＳＷ２のオン時にはオンされ、嵌合検知スイッチＳＷ２のオフ時にはオフされる電気回路である。双方のコネクタハウジング１，３の端子９，３５によるパワースイッチＳＷ１は、上述したように機械的なスイッチである。
【００３４】
次に、レバー嵌合式電源回路遮断装置１Ａの動作を図１０〜図１８を用いて説明する。図１０は一方のコネクタハウジング１を他方のコネクタハウジング３に装着前の状態を示す斜視図、図１１は一方のコネクタハウジング１を他方のコネクタハウジング３に装着する過程であって、レバー２が回転完了位置にある状態を示す斜視図、図１２は一方のコネクタハウジング１を他方のコネクタハウジング３に装着完了した状態を示す斜視図、図１３（ａ）は一方のコネクタハウジング１を他方のコネクタハウジング３に装着する際のカムピン３６の移動過程を説明するものであって、レバー２が回転開始位置と回転完了位置との間にある状態を示す正面図、図１３（ｂ）は一方のコネクタハウジング１を他方のコネクタハウジング３に装着する際のカムピン３６の移動過程を説明するものであって、レバー２が回転完了位置にある状態を示す正面図、図１３（ｃ）は一方のコネクタハウジング１を他方のコネクタハウジング３に装着する際のカムピン３６の移動過程を説明するものであって、レバー２が嵌合完了位置にある状態を示す正面図、図１４（ａ）は一方のコネクタハウジング１を他方のコネクタハウジング３に装着する際のレバー軌跡矯正用ガイドピン２４の移動過程を説明するものであって、レバー２が回転開始位置と回転完了位置との間にある状態を示す正面図、図１４（ｂ）は一方のコネクタハウジング１を他方のコネクタハウジング３に装着する際のレバー軌跡矯正用ガイドピン２４の移動過程を説明するものであって、レバー２が回転完了位置にある状態を示す正面図、図１４（ｃ）は一方のコネクタハウジング１を他方のコネクタハウジング３に装着する際のレバー軌跡矯正用ガイドピン２４の移動過程を説明するものであって、レバー２が嵌合完了位置にある状態を示す正面図、図１５（ａ）は一方のコネクタハウジング１を他方のコネクタハウジング３に装着完了した状態を示す平面図、図１５（ｂ）は一方のコネクタハウジング１を他方のコネクタハウジング３に装着完了した状態を示す正面図、図１６は一方のコネクタハウジング１を他方のコネクタハウジング３に装着完了した状態を示す断面図、図１７は図１６の要部の拡大図、図１８は図１５（ａ）のＣ−Ｃ線に沿う断面図である。
【００３５】
先ず、レバー嵌合式電源回路遮断装置１Ａにより電源回路Ｄを導通状態とする動作を説明する。図１０に示すように、レバー２を回転開始位置（移動開始位置）として一方のコネクタハウジング１を他方のコネクタハウジング３の上方より装着スペース３０内に挿入する。すると、一方のコネクタハウジング１の端子フード部８が他方のコネクタハウジング３の端子フード収容部３４に嵌合しつつ挿入されると共に、レバー２の一対のカム溝２１，２１に他方のコネクタハウジング３の一対のカムピン３６，３６が挿入される。そして、一対のカムピン３６，３６が一対のカム溝２１，２１の各開口部２１ａに入り込み、一対のカムピン３６，３６が一対のカム溝２１，２１の各側壁ストッパ面１７に当接するコネクタ仮嵌合位置にセットする。このコネクタ仮嵌合位置では双方のコネクタハウジング１，３の端子９，３５間同士は未だ非接触である。
【００３６】
次に、レバー２を図１０の矢印Ａ１方向に回転させると、レバー２が一対のガイドピン１１，１１を中心として回転して図１０の回転開始位置から図１１の回転完了位置まで回転される。また、図１３（ａ）に示すように、レバー２の一対のカム溝２１，２１内を他方のコネクタハウジング３の一対のカムピン３６，３６が移動することによって一方のコネクタハウジング１が他方のコネクタハウジング３内に徐々に近接移動されて入り込む。そして、この近接移動によってレバー２が回転完了位置に位置するまでに双方のコネクタハウジング１，３の端子９，３５間が接触状態とされると共に、レバー２の回転完了位置では双方のコネクタハウジング１，３がコネクタ嵌合位置となる。
【００３７】
次に、レバー２を図１１の矢印Ｂ１方向にスライドさせると、レバー２の一対のガイド溝２０，２０内を一対のガイドピン１１，１１がスライドすると共に、図１３（ｂ），（ｃ）に示すように、他方のコネクタハウジング３の一対のカムピン３６，３６がレバー２の一対のカム溝２１，２１内をスライド移動することによってレバー２が図１１の回転完了位置から図１２の嵌合完了位置までスライド移動（直線移動）する。このスライド移動によってレバー２が嵌合完了位置に位置するまでにレバー２の嵌合検知用雄端子２６が他方のコネクタハウジング３の一対の嵌合検知用雌端子３８，３８に接触される。そして、嵌合検知スイッチＳＷ２がオンされると、リレー回路４２がオンされ、これによって初めて電源回路Ｄが導通状態とされる。
【００３８】
次に、レバー嵌合式電源回路遮断装置１Ａにより導通状態である電源回路Ｄを非導通状態（電源遮断）とする動作を説明する。図１２の状態にあって、レバー２を図１２の矢印Ｂ２方向にスライドさせる。すると、レバー２の一対のガイド溝２０，２０内を一対のガイドピン１１，１１がスライドすると共に、他方のコネクタハウジング３の一対のカムピン３６，３６がレバー２の一対のカム溝２１，２１内をスライド移動することによってレバー２が図１２の嵌合完了位置から図１１の回転完了位置までスライド移動する。このスライド移動によってレバー２が回転完了位置に位置するまでにレバー２の嵌合検知用雄端子２６が他方のコネクタハウジング３の一対の嵌合検知用雌端子３８，３８より離間して非接触状態とされる。そして、嵌合検知スイッチＳＷ２がオフされると、リレー回路４２がオフされ、この時点で既に電源回路Ｄが非導通状態とされる。
【００３９】
次に、レバー２を図１１の矢印Ａ２方向に回転させる。すると、レバー２が一対のガイドピン１１，１１を中心として回転して図１１の回転完了位置から図１０の回転開始位置まで回転される。また、レバー２の一対のカム溝２１，２１内を他方のコネクタハウジング３の一対のカムピン３６，３６が移動することによって一方のコネクタハウジング１が他方のコネクタハウジング３の上方に徐々に離間移動されて引き出される。そして、この離間移動によってレバー２が回転開始位置に位置するまでに双方のコネクタハウジング１，３の端子９，３５間が非接触状態とされると共に、レバー２の回転開始位置では双方のコネクタハウジング１，３がコネクタ仮嵌合位置となる。
【００４０】
尚、一方のコネクタハウジング１を他方のコネクタハウジング３より完全に離間したい場合には、一方のコネクタハウジング１を他方のコネクタハウジング３の上方より取り出せば良い。
【００４１】
以上、このレバー嵌合式電源回路遮断装置１Ａでは、レバー２を回転開始位置から回転完了位置に回転移動した過程では、双方のコネクタハウジング１，３の端子９，３５間が接触状態となりパワースイッチＳＷ１がオンされるが、電源回路Ｄは未だ非導通であり、レバー２を回転完了位置から嵌合完了位置にスライド移動（直線移動）した過程で嵌合検知スイッチＳＷ２がオンされ、これによってリレー回路４２がオンされて電源回路Ｄが初めて導通状態となるため、レバー２の操作途中で電源回路Ｄが導通状態となるのを確実に防止することができる。従って、レバー２の操作が完了していないため、電源回路Ｄが未だ非導通であるとの認識が正当なものとなり、事故の発生を未然に防止できることになる。
【００４２】
また、電源回路Ｄを導通状態から非導通状態とするに際し、レバー２を嵌合完了位置から回転完了位置に直線移動した過程では、嵌合検知スイッチＳＷ２がオフされ、これによってリレー回路４２がオフされて電源回路Ｄが非導通状態となり、レバー２を回転完了位置から回転開始位置に回転移動した過程で双方の端子９，３５間のパワースイッチＳＷ１が離間状態となり、電源回路Ｄがオフされてから端子９，３５間のパワースイッチＳＷ１が離間されるまでにタイムラグがあり、放電時間が確保されるため、アーク放電の発生を防止することができる。
【００４３】
要約すれば、電源回路Ｄを導通させるレバー２の操作は回転操作とスライド操作との２アクションからなり、後のスライド操作によって電源回路Ｄが導通され、また、電源回路Ｄを非導通とさせるレバー２の操作はその逆の２アクションからなり、先のスライド操作で電源回路Ｄがオフされ、その次の回転操作で端子９，３５間のパワースイッチＳＷ１が遅れてオフされ、放電時間を確保することができる。
【００４４】
また、前記レバー嵌合式電源回路遮断装置１Ａでは、図１０及び図１２に示すように、回転開始位置（移動開始位置）にあってはレバー２の第１係止孔２２に一方のコネクタハウジング１の係止突起１２が挿入されて位置保持され、嵌合完了位置にあってはレバー２の第２係止孔２３に一方のコネクタハウジング１の係止突起１２が挿入されて位置保持されるので、嵌合完了位置のみならず回転開始位置でも保持される。従って、一方のコネクタハウジング１を他方のコネクタハウジング３に嵌合する際にレバー２が所望の回転位置に保持され、レバー２のカム溝２１の開口部２１ａと他方のコネクタハウジング３のカムピン３６との位置が確実に一致し、作業性が良い。さらに、嵌合完了位置にあっても位置保持されるため、従来例と同様に、車両等の振動によってレバー２が移動することによって生じる、例えば端子９，３５間が接触不良になるという事故を防止することができる。
【００４５】
尚、前記実施形態では、第１係止孔２２及び第２係止孔２３と係止突起１２とによって仮係止手段を構成したが、仮係止手段は回転開始位置と嵌合完了位置とのそれぞれにレバー２を仮に位置保持できる手段であれば良い。
【００４６】
また、前記実施形態では、レバー２の第１係止孔２２及び第２係止孔２３に係止される係止突起１２は同一のものを利用したので、係止突起１２を１箇所に設ければ良いため、構成の簡略化に寄与する。尚、係止突起を２箇所に設けても良いことは勿論である。
【００４７】
さらに、前記実施形態では、係止突起１２は第１係止孔２２及び第２係止孔２３より退出する方向に弾性撓み変形可能な可撓アーム部１４に設けられているので、回転開始位置や嵌合完了位置に位置するレバー２に移動力を作用させると、可撓アーム部１４が弾性撓み変形して係止突起１２が第１係止孔２２や第２係止孔２３より離脱するため、レバー２の操作がスムーズである。また、係止突起１２が第１係止孔２２や第２係止孔２３に係合され、或いは、離脱される際の係止突起１２へのダメージが少なく係止突起１２の損傷防止に有効である。
【００４８】
また、前記実施形態では、第１係止孔２２及び第２係止孔２３はレバー２に、係止突起１２は一方のコネクタハウジング１に、それぞれ設けられているが、この逆に第１係止孔２２及び第２係止孔２３を一方のコネクタハウジング１に、係止突起１２をレバー２に、それぞれ設けても良い。これにより、設計の自由度の向上になる。
【００４９】
さらに、前記実施形態では、レバー２は嵌合完了位置にあって指挿入孔２７によって指一本のみでスライド移動の操作が可能とされているので、レバー２を嵌合完了位置から回転完了位置にスライド移動させる操作では指一本を用いてレバー２を操作するしかなく、その後の回転操作ではレバー２を操作する指を持ち替える等して操作する必要がある。従って、電源回路Ｄがオフされてから端子９，３５間のパワースイッチＳＷ１が離間されるまでに大きなタイムラグが発生して十分な放電時間が確保されるため、確実にアーク放電を防止することができる。
【００５０】
尚、図１９（ａ）は一方のコネクタハウジング１が装着状態ではボルト回転工具４３をボルト３３に装着できないことを説明するための断面図、図１９（ｂ）は一方のコネクタハウジング１が取り外された状態であって、ボルト回転工具４３をボルト３３に装着した状態を示す断面図である。前記実施形態では、図１９（ａ）に示すように、一方のコネクタハウジング１を他方のコネクタハウジング３に装着されている場合にはボルト回転工具４３をボルト３３に装着できず他方のコネクタハウジング３を取り外しできない。そして、図１９（ｂ）に示すように、一方のコネクタハウジング１を他方のコネクタハウジング３より取り外した場合に限りボルト回転工具４３をボルト３３に装着して他方のコネクタハウジング３を取付面より取り外しできる。従って、電源回路Ｄが確実に非導通状態となった場合にのみ他方のコネクタハウジング３を取付面から取り外しでき、作業者への安全を確保することができる。
【００５１】
尚、前記実施形態では、レバー２が一方のコネクタハウジング１に回転移動、且つ、直線移動自在に設けられ、レバー２を回転移動と直線移動（スライド移動）とによって回転開始位置（移動開始位置）から嵌合完了位置に移動するようになっているが、従来例のようにレバー２を回転移動のみによって移動開始位置から嵌合完了位置に移動するものであっても、また、レバー２を直線移動（スライド移動）のみによって移動開始位置から嵌合完了位置に移動するものであっても本発明は適用可能である。
【００５２】
【発明の効果】
以上説明したように、請求項１の発明によれば、一方のコネクタハウジングに移動自在にレバーを設け、このレバーと他方のコネクタハウジングとのいずれか一方にカム溝を他方にこのカム溝が係合されるカムピンを設け、レバーを移動開始位置より回転完了位置に移動すると、カムピンがカム溝にガイドされることによって一方のコネクタハウジングが他方のハウジングに近接移動して双方のコネクタハウジングの端子同士が接触されるレバー嵌合式電源回路遮断装置であって、レバーを移動開始位置と嵌合完了位置とのそれぞれの位置に保持する仮係止手段を設けたので、レバーが仮係止手段によって嵌合完了位置のみならず移動開始位置でも保持されるため、一方のコネクタハウジングを他方のコネクタハウジングに嵌合する作業をする際にレバーが所望の位置に保持され作業性が良い。
【００５３】
請求項２の発明によれば、仮係止手段をレバーと一方のコネクタハウジングとのいずれか一方に設けた第１係止孔及び第２係止孔と他方に設けた係止突起とで構成し、レバーの回転開始位置で第１係止孔に係止突起が挿入され、レバーの嵌合完了位置で第２係止孔に係止突起が挿入されることにより、請求項１の発明と同様の効果が得られる。
【００５４】
請求項３の発明によれば、第１係止孔及び第２係止孔に係止される係止突起は同一のものとしたので、請求項２の発明の効果に加え、係止突起を１箇所に設ければ良いため、構成の簡略化に寄与する。
【００５５】
請求項４の発明によれば、係止突起を第１係止孔及び第２係止孔より退出する方向に弾性撓み変形可能な可撓アーム部に設けたので、回転開始位置や嵌合完了位置に位置するレバーに移動力を作用させると、可撓アーム部が弾性変形して係止突起が第１係止孔や第２係止孔より離脱するため、レバーの操作がスムーズである。また、係止突起が第１係止孔や第２係止孔に係合され、或いは、離脱される際の係止突起へのダメージが少なく係止突起の損傷防止に有効である。
【図面の簡単な説明】
【図１】本発明の一実施形態を示し、（ａ）は一方のコネクタハウジングの分解正面図、（ｂ）は一方のコネクタハウジングの分解側面図である。
【図２】本発明の一実施形態を示し、レバーの斜視図である。
【図３】本発明の一実施形態を示し、（ａ）はレバーの側面図、（ｂ）は図３（ａ）のＡ−Ａ線に沿う断面図である。
【図４】本発明の一実施形態を示し、レバーを装着した一方のコネクタハウジングであって、レバーが回転開始位置に位置する状態を示す正面図である。
【図５】本発明の一実施形態を示し、レバーを装着した一方のコネクタハウジングであって、レバーが回転開始位置に位置する状態を示す背面図である。
【図６】本発明の一実施形態を示し、（ａ）はレバーを装着した一方のコネクタハウジングの一部切欠平面図、（ｂ）はレバーを装着した一方のコネクタハウジングの底面図である。
【図７】本発明の一実施形態を示し、他方のコネクタハウジングの一部切欠正面図である。
【図８】本発明の一実施形態を示し、（ａ）は他方のコネクタハウジングの平面図、（ｂ）は図８（ａ）のＢ−Ｂ線に沿う断面図である。
【図９】本発明の一実施形態を示し、電源回路の回路図である。
【図１０】本発明の一実施形態を示し、一方のコネクタハウジングを他方のコネクタハウジングに装着前の状態を示す斜視図である。
【図１１】本発明の一実施形態を示し、一方のコネクタハウジングを他方のコネクタハウジングに装着する過程であって、レバーが回転完了位置にある状態を示す斜視図である。
【図１２】本発明の一実施形態を示し、一方のコネクタハウジングを他方のコネクタハウジングに装着完了した状態を示す斜視図である。
【図１３】本発明の一実施形態を示し、（ａ）は一方のコネクタハウジングを他方のコネクタハウジングに装着する際のカムピンの移動過程を説明するものであって、レバーが回転開始位置と回転完了位置との間にある状態を示す正面図、（ｂ）は一方のコネクタハウジングを他方のコネクタハウジングに装着する際のカムピンの移動過程を説明するものであって、レバーが回転完了位置にある状態を示す正面図、（ｃ）は一方のコネクタハウジングを他方のコネクタハウジングに装着する際のカムピンの移動過程を説明するものであって、レバーが嵌合完了位置にある状態を示す正面図である。
【図１４】本発明の一実施形態を示し、（ａ）は一方のコネクタハウジングを他方のコネクタハウジングに装着する際のレバー軌跡矯正用ガイドピンの移動過程を説明するものであって、レバーが回転開始位置と回転完了位置との間にある状態を示す正面図、（ｂ）は一方のコネクタハウジングを他方のコネクタハウジングに装着する際のレバー軌跡矯正用ガイドピンの移動過程を説明するものであって、レバーが回転完了位置にある状態を示す正面図、（ｃ）は一方のコネクタハウジングを他方のコネクタハウジングに装着する際のレバー軌跡矯正用ガイドピンの移動過程を説明するものであって、レバーが嵌合完了位置にある状態を示す正面図である。
【図１５】本発明の一実施形態を示し、（ａ）は、一方のコネクタハウジングを他方のコネクタハウジングに装着完了した状態を示す平面図、（ｂ）は一方のコネクタハウジングを他方のコネクタハウジングに装着完了した状態を示す正面図である。
【図１６】本発明の一実施形態を示し、一方のコネクタハウジングを他方のコネクタハウジングに装着完了した状態を示す断面図である。
【図１７】本発明の一実施形態を示し、図１６の要部の拡大図である。
【図１８】本発明の一実施形態を示し、図１５（ａ）のＣ−Ｃ線に沿う断面図である。
【図１９】本発明の一実施形態を示し、（ａ）は一方のコネクタハウジングを他方のコネクタハウジングに装着状態ではボルト回転工具をボルトに装着できないことを説明するための断面図、（ｂ）は一方のコネクタハウジングを他方のコネクタハウジングより取り外された状態であって、ボルト回転工具をボルトに装着した状態を示す断面図である。
【図２０】従来例を示し、レバー嵌合式電源回路遮断装置の装着手前の斜視図である。
【図２１】従来例を示し、レバー嵌合式電源回路遮断装置の装着後の斜視図である。
【図２２】従来例を示し、（ａ）は係止孔に係止突起が挿入前の断面図、（ｂ）は係止孔に係止突起が挿入直前の断面図、（ｃ）は係止孔に係止突起が挿入された状態の断面図である。
【符号の説明】
１Ａ  レバー嵌合式電源回路遮断装置
１  一方のコネクタハウジング
２  レバー
３  他方のコネクタハウジング
９  雄端子（端子）
１２  係止突起（仮係止手段）
１４  可撓アーム部
２１  カム溝
２２  第１係止孔（仮係止手段）
２３  第２係止孔（仮係止手段）
３５  雌端子（端子）
３６  カムピン
【図１】
0003958544.tif 000002
【図２】
0003958544.tif 000003
【図３】
0003958544.tif 000004
【図４】
0003958544.tif 000005
【図５】
0003958544.tif 000006
【図６】
0003958544.tif 000007
【図７】
0003958544.tif 000008
【図８】
0003958544.tif 000009
【図９】
0003958544.tif 000010
【図１０】
0003958544.tif 000011
【図１１】
0003958544.tif 000012
【図１２】
0003958544.tif 000013
【図１３】
0003958544.tif 000014
【図１４】
0003958544.tif 000015
【図１５】
0003958544.tif 000016
【図１６】
0003958544.tif 000017
【図１７】
0003958544.tif 000018
【図１８】
0003958544.tif 000019
【図１９】
0003958544.tif 000020
【図２０】
0003958544.tif 000021
【図２１】
0003958544.tif 000022
【図２２】
0003958544.tif 000023